【事件の表示】
　特願２００２−１３１１５２「記録再生装置」拒絶査定不服審判事件〔平成１５年　２月　７日出願公開、特開２００３−　３６６５４〕について、次のとおり審決する。
【結　論】
　本件審判の請求は、成り立たない。
【理　由】
１．手続の経緯
　本件審判請求に係る出願（以下、「本願」という。）は、平成４年１２月４日に出願した特願平４−３５０２３６号の一部を平成１４年５月７日に新たな特許出願としたものであって、その請求項１に係る発明（以下、「本願発明」という。）は、平成１７年８月１９日付け手続補正により補正された明細書の特許請求の範囲の請求項１に記載された事項により特定される、次のとおりのものである。
   　
「【請求項１】　記録されたデータについて再生順序を指定する管理情報を有する記録媒体に対応する記録再生装置において、
　前記記録媒体に記録された複数のデータの再生順序を指定するための第１の操作手段と、
　前記第１の操作手段により複数のデータの再生順序を指定する際に、データの再生順序が指定される全てのデータに対応する番号を表示する表示手段と、
　前記第１の操作手段による操作により指定されたデータの再生順序に基づいて前記管理情報の書き換えを確定する第２の操作手段と、
　前記第２の操作手段により前記管理情報の書き換えが確定されたとき、前記第１の操作手段により指定されたデータの再生順序に基づいて指定されたデータの再生順序が変更されるように前記管理情報を書き換えることができる制御手段とを備えたことを特徴とする記録再生装置。」
   　
２．引用例
　これに対して、原査定の拒絶の理由に引用された、本願出願前に頒布された刊行物である特開昭６３−２１７５８７号公報（以下、「引用例１」という。）には、ディスク記録再生装置に関して、図面とともに、以下の技術事項が記載されている（なお、下線は当審で付与した。）。
  　
(i) 
「Ｃ従来の技術
従来より、音声や楽音等のオーディオ信号をデジタル化して光ディスクに記録した所謂コンパクトディスク（ＣＤ）を再生するＣＤプレーヤ等の再生専用のディスクプレーヤ装置が一般に提供されている。
上記コンパクトディスク（ＣＤ）では、オーディオ情報の記録されているプログラム領域の内側に設けられているリードイン領域に、そのディスクの記録内容を示す目録（ＴＯＣ：Ｔａｂｌｅ　ｏｆ　Ｃｏｎｔｅｎｔｓ）情報として、上記プログラム領域に記録されている全ての曲について順番に各曲目の開始時間を示すタイムコード、最初の曲目番号と最後の曲目番号、最終曲目が終了する時間等が記録されている。
(ii)
「
そこで、本発明は、上述の如き問題点に鑑み、予め絶対アドレスを与えた記録可能ディスクにプログラム領域とリードイン領域を設け、上記プログラク領域に演奏情報等のデータを記録するとともに、上記プログラム領域の記録内容を示す目録情報を上記リードイン領域に記録し、上記リードイン領域の目録情報に基づいて上記プログラム領域の再生を行うディスク記録再生装置において、プログラム領域に記録した情報の再生順序を上記リードイン領域の目録情報により任意に指定できるようにすることを目的とし、上記リードイン領域の目録情報を再生して任意の順番に並べ換えて再記録する機能を備えた新規な構成のディスク記録再生装置を提供するものである。
  　
(iii)
「このディスク記録再生装置は、第１図のプロック図に示すように、ディスクモータ１１にて回転駆動される記録可能ディスク１を挟んで対向するように設置された光学ヘッド１２と磁石１３を備え、上記光学ヘッド１２がエンボス再生アンプ１４とＭＯ再生アンプ１５に接続されているとともに、記録アンプ２７に接続されている。」（第３頁右下欄第１１行乃至同頁第１７行）
  　
(iv)
「上記光学ヘッド１１により上記記録可能ディスク１から読み出される再生ＲＦ信号のうち、・・・（省略）・・・。また、上記
記録可能ディスク１のリードイン領域６から再生されるＴＯＣ情報が上記再生処理回路１８からＴＯＣバッファメモリ１９に記憶されるようになっている。
  　
(v)
「
また、上記マイクロコンピュータ１７には、制御データ人力用の操作キー２８や各種データ表示用の表示器２９が接続されている。
　上記マイクロコンピュータ１７は、その要部機能構成を第２図のブロック図に示してあるように、上記操作キー２８の操作状態を監視して制御データの入力を受け付けるキー人力処理部４０、所定の動作プログラム等各種データを記憶する内部メモリ４１、上記ＴＯＣバッファメモリ１９に対するデータの書き込み／読み出しアドレスを発生するメモリアドレス発生部４２、上記表示器２９の動作を制御する表示制御部４３、上記内部メモリにて与えられる動作ブグラムに所定のリナンバリング処理を行うリナンバリング処理部４４等にて構成されている。
・・・省略・・・その
リードイン領域７には、上記プログラム領域６の記録内容を示す目録（ＴＯＣ）情報として、上記第１ないし第５の曲目の各記録領域をその曲番号とともに絶対的な時間情報（絶対アドレスデータ）にて示す第１表のようなＴＯＣ情報が記録されているものとする。
  　
(vi)
「Ｇ−２ディスク記録再生装置の動作
  このディスク記録再生装置は、第３図のフローチャートに示すように、動作開始時に、記録可能ディスクｌが装着（ステップ１０１）されると、先ず、上記記録可能ディスク１のリードイン領域７に記録されているＴＯＣ情報を上記光学ヘッド１２にて読み取って再生しＴＯＣバッファメモリ１９に記憶する（ステップ１０２）して待機状態となる。
　そして、このディスク記録再生装置の上記マイクロコンピュータ１７は、そのキー人力処理部４０にて上記操作キー２８の操作状態を監視して制御データの入力を受け付ける待機状態において、操作キー２８の操作により再生モードが指定されると、上記ＴＯＣバッファメモリ１９に記憶しているＴＯＣ情報に基づいて、上記記録可能ディスクｌのプログラム領域６から演奏情報を上記ＴＯＣ情報の曲番号順に自動的に再生するアクセス制御を行う。
　また、上記
マイクロコンピュータ１７は、上記待機状態において、第４図のフローチャートに示すように、ＲＥＮＵＭキーの操作を受け付ける（ステップ２０１）とリナンバリングモードを設定（ステップ２０２）して、
表示制御部４３の動作を切り換え、リナンバリング処理後の曲番号ＴＮＯａを「１」として上記表示器２９の表示画面上にリナンバリングモードの表示（ステップ２０４）を行う。　ここで、リナンバリングモードが設定されると、上記表示器２９の表示画面上には、リナンバリングモードを示す「ＲＥＮＵＭ」なる文字表示とともにリナンバリング処理後の曲番号（ＴＮＯａ）と現在再生中の曲番号（ＴＮＯｂ）が第５図に示すように表示される。
  　
・・・第２表省略・・・
  　
　さらに、上記
マイクロコンピュータ１７は、ＰＬＡＹキー、ＳＴＯＰキー、ＦＲキー、ＦＦキー等の操作キー２８の操作により上記記録可能ディスクｌのプログラム領域６から新たな第１曲目としたい曲をアクセスして再生（ステップ２０５）している状態でＲＥＮＵＭキーの操作を受け付ける（ステップ２０６）と、上記ＴＯＣバッファメモリ１９内のＴＯＣ情報について、現在再生中の曲番号（ＴＮＯｂ）をリナンバリング処理後の新たな曲番号（ＴＮＯａ）に書き替えるとともにフラグをセット（ステップ２０７）する。そして、リナンバリング処理後の新たな曲番号（ＴＮＯａ）をインクリメントして上記表示器２９の表示画面上に表示（ステップ２０８）し、上記ステップ２０５のアクセス再生動作に戻る。
　
また、上記ステップ２０６においてＲＥＮＵＭキーの操作を受け付けなかった場合には、ＳＴＯＰキーの操作状態を監視（ステップ２０９）して、このステップ２０９においてＳＴＯＰキーの操作を受け付けない場合には上記ステップ２０５のアクセス再生動作に戻り、上記記録可能ディスク１のプログラム領域６に記録されている各曲目を次々に再生しながら再生中の曲番号（ＴＮＯｂ）に新たな曲番号（ＴＮＯａ）を指定してリナンバリングを行う。
  　
・・・第３表省略・・・
  　
　
そして、上記ステップ２０９において、上記ＳＴＯＰキーの操作を受け付ると、上記ＴＯＣバッファメモリ１９内のＴＯＣ情報について、フラグのセットされていない曲の曲番号にフラグのセットされた曲番号の最大のものに続く番号を小さい順に割り当て（ステップ２１０）て、第４表に示すように曲番号順の並べ換えて全てのフラグをクリア（ステップ２１１）してから、リナンバリングモードを解除（ステップ２１２）して待機状態となる。
　
・・・第４表省略・・・
  　
　さらに、
このディスク記録再生装置は、上記待機状態において、上記操作キー２８の操作によりエジェクトモードが指定されると、第６図のフローチャートに示すように、先ず、上記ＴＯＣバッファメモリ１９に記憶されているＴＯＣ情報を上記光学ヘッド１２にて上記記録可能ディスクｌのリードイン領域７に記録（ステップ３０１）してから、エジェクト動作（ステップ３０２）を行って動作を終了する。
  　
　上記摘記事項及び図面の記載を参酌すると、引用例１には、次の発明（以下、「引用例１発明」という。）が記載されているものと認める。
   　
「 予め絶対アドレスを与えた記録可能ディスクにプログラム領域とリードイン領域を設け、上記プログラム領域に演奏情報等のデータを記録するとともに、上記プログラム領域の記録内容を示す目録情報として、曲番号とともに絶対的な時間情報（絶対アドレスデータ）にて示すＴＯＣ情報を上記リードイン領域に記録し、上記リードイン領域の目録情報に基づいて上記プログラム領域の再生を行うディスク記録再生装置において、
　動作開始時に、記録可能ディスクｌが装着（ステップ１０１）されると、先ず、上記記録可能ディスク１のリードイン領域７に記録されているＴＯＣ情報を上記光学ヘッド１２にて読み取って再生しＴＯＣバッファメモリ１９に記憶（ステップ１０２）して待機状態とし、
  上記ディスク記録再生装置のマイクロコンピュータ１７は、上記待機状態において、ＲＥＮＵＭキーの操作を受け付ける（ステップ２０１）とリナンバリングモードを設定（ステップ２０２）し、上記ＴＯＣバッファメモリ１９内のＴＯＣ情報の曲番号毎に付したフラグを全てクリア（ステップ２０３）してから、表示制御部４３の動作を切り換え、リナンバリング処理後の曲番号ＴＮＯａを「１」として表示器２９の表示画面上にリナンバリングモードの表示（ステップ２０４）を行うとともにリナンバリング処理後の曲番号（ＴＮＯａ）と現在再生中の曲番号（ＴＮＯｂ）を表示し、
　さらに、上記マイクロコンピュータ１７は、ＰＬＡＹキー、ＳＴＯＰキー、ＦＲキー、ＦＦキー等の操作キー２８の操作により上記記録可能ディスクｌのプログラム領域６から新たな第１曲目としたい曲をアクセスして再生（ステップ２０５）している状態でＲＥＮＵＭキーの操作を受け付ける（ステップ２０６）と、ＴＯＣバッファメモリ１９内のＴＯＣ情報について、現在再生中の曲番号（ＴＮＯｂ）をリナンバリング処理後の新たな曲番号（ＴＮＯａ）に書き替えるとともにフラグをセット（ステップ２０７）し、リナンバリング処理後の新たな曲番号（ＴＮＯａ）をインクリメントして上記表示器２９の表示画面上に表示（ステップ２０８）し、上記ステップ２０５のアクセス再生動作に戻り、
　上記ステップ２０６においてＲＥＮＵＭキーの操作を受け付けなかった場合には、ＳＴＯＰキーの操作状態を監視（ステップ２０９）して、このステップ２０９においてＳＴＯＰキーの操作を受け付けない場合には上記ステップ２０５のアクセス再生動作に戻り、上記記録可能ディスク１のプログラム領域６に記録されている各曲目を次々に再生しながら再生中の曲番号（ＴＮＯｂ）に新たな曲番号（ＴＮＯａ）を指定してリナンバリングを行い、
  上記ステップ２０９において、上記ＳＴＯＰキーの操作を受け付ると、上記ＴＯＣバッファメモリ１９内のＴＯＣ情報について、フラグのセットされていない曲の曲番号にフラグのセットされた曲番号の最大のものに続く番号を小さい順に割り当て（ステップ２１０）て、曲番号順を並べ換えて全てのフラグをクリア（ステップ２１１）してから、リナンバリングモードを解除（ステップ２１２）して待機状態とし、
  上記操作キー２８の操作によりエジェクトモードが指定されると、上記ＴＯＣバッファメモリ１９に記憶されているＴＯＣ情報を上記光学ヘッド１２にて上記記録可能ディスクｌのリードイン領域７に記録（ステップ３０１）してから、エジェクト動作（ステップ３０２）を行って動作を終了する
  ディスク記録再生装置。」
  　
３．対比
　本願発明と、引用例１発明とを対比する。
  　
　引用例１発明の「プログラム領域に演奏情報等のデータを記録するとともに、上記プログラム領域の記録内容を示す目録情報として、曲番号とともに絶対的な時間情報（絶対アドレスデータ）にて示すＴＯＣ情報を上記リードイン領域に記録し、上記リードイン領域の目録情報に基づいて上記プログラム領域の再生を行うディスク記録再生装置」は、本願発明の「記録されたデータについて再生順序を指定する管理情報を有する記録媒体に対応する記録再生装置」に相当する。
　引用例１発明の「リナンバリング」は、上記摘記事項の(ii)の「プログラム領域に記録した情報の再生順序を上記リードイン領域の目録情報により任意に指定できるようにすることを目的とし」の記載より、記録した情報の再生順序を任意に指定することを意味し、本願発明の「記録媒体に記録された複数のデータの再生順序を指定する」動作に相当する。
　引用例１発明の、「ＲＥＮＵＭキー」、「ＰＬＡＹキー、ＳＴＯＰキー、ＦＲキー、ＦＦキー等の操作キー２８」、「ＳＴＯＰキー」は、「リナンバリング」を行うための操作手段であり、本願発明の「第１の操作手段」に相当する。
  引用例１発明の「ＰＬＡＹキー、ＳＴＯＰキー、ＦＲキー、ＦＦキー等の操作キー２８の操作により上記記録可能ディスクｌのプログラム領域６から新たな第１曲目としたい曲をアクセスして再生（ステップ２０５）している状態でＲＥＮＵＭキーの操作を受け付ける（ステップ２０６）」と、「リナンバリング処理後の新たな曲番号（ＴＮＯａ）をインクリメントして表示画面上に表示（ステップ２０８）」する「表示器２９」は、本願発明の「第１の操作手段により複数のデータの再生順序を指定する際に、データの再生順序が指定される」「データに対応する番号を表示する表示手段」に相当する。
  引用例１発明の「ＰＬＡＹキー、ＳＴＯＰキー、ＦＲキー、ＦＦキー等の操作キー２８」「ＲＥＮＵＭキー」「ＳＴＯＰキー」の操作による「リナンバリング」により書き替えられた「ＴＯＣバッファメモリ１９に記憶されているＴＯＣ情報」を「光学ヘッド１２にて上記記録可能ディスクｌのリードイン領域７に記録（ステップ３０１）するエジェクトモード」を指定する「操作キー２８」は、本願発明の「第１の操作手段による操作により指定されたデータの再生順序に基づいて前記管理情報の書き換えを確定する第２の操作手段」に相当する。
　引用例１発明の「操作キー２８の操作によりエジェクトモードが指定されると、上記ＴＯＣバッファメモリ１９に記憶されているＴＯＣ情報を上記光学ヘッド１２にて上記記録可能ディスクｌのリードイン領域７に記録（ステップ３０１）」することは、本願発明の「第２の操作手段により前記管理情報の書き換えが確定されたとき、前記第１の操作手段により指定されたデータの再生順序に基づいて指定されたデータの再生順序が変更されるように前記管理情報を書き換える」ことに相当し、引用例１において、第１図を参照すると、上記動作を制御している構成は「マイクロコンピュータ１７」であることは自明であり、当該「マイクロコンピュータ１７」は、本願発明の「制御手段」に相当する。
　引用例１発明の「ディスク記録再生装置」は、本願発明の「記録再生装置」に相当する。
  　
　そうすると、本願発明と引用例１発明とは、次の点で一致する。
  　
［一致点］
「記録されたデータについて再生順序を指定する管理情報を有する記録媒体に対応する記録再生装置において、
　前記記録媒体に記録された複数のデータの再生順序を指定するための第１の操作手段と、
　前記第１の操作手段により複数のデータの再生順序を指定する際に、データの再生順序が指定されるデータに対応する番号を表示する表示手段と、
　前記第１の操作手段による操作により指定されたデータの再生順序に基づいて前記管理情報の書き換えを確定する第２の操作手段と、
　前記第２の操作手段により前記管理情報の書き換えが確定されたとき、前記第１の操作手段により指定されたデータの再生順序に基づいて指定されたデータの再生順序が変更されるように前記管理情報を書き換えることができる制御手段とを備えた記録再生装置。」
  　
　そして、次の点で相違する。
　
［相違点］
　本願発明が、データの再生順序が指定される全てのデータに対応する番号を表示するのに対し、引用例１発明は、現在再生中の曲番号（ＴＮＯｂ）ならびにリナンバリング処理後の新たな曲番号（ＴＮＯａ）を表示するのみである点。
  　
４．当審の判断
　そこで、上記相違点について検討する。
  記録媒体に記録された複数のデータの再生順序を指定する再生装置において、該指定されるデータの確認のために、再生順序が指定される全てのデータに対応する番号を表示するものは周知であり（例えば：原査定の拒絶の理由でも提示した特開平２−２６５０８５号公報、及び実願昭６３−１１４２８６号（実開平２−３５３８８号）のマイクロフィルム、特開平１−６７７８５号公報等参照）、引用例１発明において、上記周知技術を採用し、複数のデータの再生順序を指定する際に、リナンバリングする曲を確認するために、ＲＥＮＵＭキーによって指定した曲番号を全て表示することは、当業者が容易に想到し得たことと認められる。
   　
　そして、上記相違点についての判断を総合しても本願発明の奏する効果は引用例１から当業者が充分に予想可能なものであって、格別のものとは言えない。
  　
　したがって、本願発明は、引用例１に記載された発明、及び周知技術に基づいて、当業者が容易に発明をすることができたものである。
  　
５．むすび
　以上のとおり、本願の請求項１に係る発明は、引用例１に記載された発明、及び周知技術に基づいて、当業者が容易に発明をすることができたものであるから、特許法第２９条第２項の規定により特許を受けることができない。
　よって、結論のとおり審決する。